【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
通信装置であって、
通信パラメータを他の通信装置に提供する提供装置として動作する手段と、  
他の通信装置から提供される通信パラメータを受信する受信装置として動作する手段と、
他の通信装置との通信により前記提供装置または前記受信装置の何れかで動作するかを決定するための所定の処理に基づいて、前記提供装置または前記受信装置の何れかで動作するかを決定する決定手段と、
前記決定手段により前記提供装置または前記受信装置の何れかで動作するかを決定した後に、他の通信装置と前記通信パラメータを共有するための通信が開始されない場合、前記所定の処理を再実行する実行手段とを有することを特徴とする通信装置。
【請求項２】
前記通信パラメータを共有するための処理が第１の所定期間の間に完了しなかった場合に、前記通信パラメータを共有するための処理をエラー終了する終了手段とを更に有し、
前記実行手段は、他の通信装置と前記通信パラメータを共有するための処理が終了手段によりエラー終了する前に、前記所定の処理を再実行することを特徴とする請求項１に記載の通信装置。
【請求項３】
前記実行手段は、前記決定手段により前記提供装置または前記受信装置の何れかで動作するかを決定した後から第２の所定期間の間に、他の装置から所定のパケットを受信しない場合に、前記所定の処理を再実行することを特徴とする請求項１または２に記載の通信装置。
【請求項４】
前記決定手段により前記提供装置または前記受信装置のどちらを実施するかを決定した後から第２の所定期間の間に、他の装置から所定のパケットを受信した場合に、前記通信パラメータを共有するための通信を開始することを特徴とする請求項１乃至３の何れか１項に記載の通信装置。
【請求項５】
前記決定手段により前記提供装置または前記受信装置の何れかで動作するかを決定した後に、他の通信装置と前記通信パラメータを共有するための通信が開始されない場合、エラー通知を行う通知手段を更に有することを特徴とする請求項１乃至３の何れか１項に記載の通信装置。
【請求項６】
前記決定手段により前記提供装置または前記受信装置の何れかで動作するかを決定した後に、他の通信装置と前記通信パラメータを共有するための通信が開始されない場合、前記実行手段により前記所定の処理を再実行するかをユーザに問い合わせる第１の問合せ手段とを更に有し、
当該ユーザにより前記処理を再実行することを指示された場合に前記実行手段は前記所定の処理を再実行することを特徴とする請求項１乃至５の何れか１項に記載の通信装置。
【請求項７】
前記実行手段により再実行された前記所定の処理に基づいて前記決定手段により決定された役割により他の通信装置と通信パラメータを共有した場合、当該他の通信装置に関する情報を表示する表示手段とを更に有することを特徴とする請求項１乃至６の何れか１項に記載の通信装置。
【請求項８】
前記実行手段により再実行された前記所定の処理に基づいて前記決定手段により決定された役割により他の通信装置と通信パラメータを共有した場合、ユーザに当該他の通信装置と接続するかを問い合わせる第２の問合せ手段と、
当該ユーザにより当該他の通信装置と接続することを指示された場合に、当該他の通信装置と接続するための処理を行う制御手段とを更に有することを特徴とする請求項１乃至７の何れか１項に記載の通信装置。
【請求項９】
前記接続するための処理は、暗号鍵交換処理であることを特徴とする請求項８に記載の通信装置。
【請求項１０】
通信装置であって、
通信パラメータを他の通信装置に提供する提供装置として動作する手段と、
他の装置から提供される通信パラメータを受信する受信装置として動作する手段と、
第１の他の通信装置との通信により前記提供装置または前記受信装置の何れかで動作するかを決定するための所定の処理に基づいて、前記提供装置または前記受信装置の何れかで動作するかを決定する第１の決定手段と、
前記第１の決定手段による第１の他の通信装置との通信により前記提供装置または前記受信装置のどちらを実施するかを決定した後に、前記第１の他の通信装置と前記通信パラメータを共有するための通信が開始されない場合、第２の他の通信装置との前記所定の処理に基づいて、前記提供装置または前記受信装置の何れかで動作するかを決定する第２の決定手段と、を有する通信装置。
【請求項１１】
前記通信パラメータは、少なくともＳＳＩＤ、暗号方式、暗号鍵、認証方式、認証鍵のうち少なくとも何れか一つを含むことを特徴とする請求項１乃至１０の何れか１項に記載の通信装置。
【請求項１２】
前記所定の処理は、前記提供装置か前記受信装置かの仮の役割を定めておき、当該仮に定めた役割と異なる役割で動作する他の通信装置から検出されたかもしくは検出したかに基づいて、前記提供装置または前記受信装置の何れかで動作するかを決定する処理であることを特徴とする請求項１乃至１１の何れか１項に記載の通信装置。
【請求項１３】
前記通信装置は、前記所定の処理において、前記仮に定めた役割と異なる役割で動作する他の通信装置から検出されなかったもしくは検出しなかった場合、前記仮に定めた役割を変更することを特徴とする請求項１２に記載の通信装置。
【請求項１４】
前記通信装置は、前記所定の処理において、プローブリクエストまたはプローブリクエストに対する応答信号に付加されるＩｎｆｏｒｍａｔｉｏｎ  Ｅｌｅｍｅｎｔに基づいて、前記仮に定めた役割と異なる役割で動作する他の通信装置から検出されるもしくは検出することを特徴とする請求項１２または１３に記載の通信装置。
【請求項１５】
前記所定の処理は、設定ボタンの押下の検出に応じて開始されることを特徴とする請求項１乃至１４の何れか１項に記載の通信装置。
【請求項１６】
前記所定の処理は、設定ボタンの押下の検出に応じて開始されることを特徴とする請求項１乃至１５の何れか１項に記載の通信装置。
【請求項１７】
前記所定の処理は、ＩＥＥＥ８０２．１１シリーズに準拠した無線通信に基づいて行われ、かつ、アドホックネットワークを構築するための処理であることを特徴とする請求項１乃至１６の何れか１項に記載の通信装置。
【請求項１８】
通信パラメータを他の通信装置に提供し、他の通信装置と該通信パラメータを共有するための提供装置と、他の通信装置から提供される通信パラメータを受信し、他の通信装置と該通信パラメータを共有するための受信装置とで動作可能な通信装置の制御方法であって、
他の通信装置との通信により前記提供装置または前記受信装置の何れかで動作するかを決定するための所定の処理に基づいて、前記提供装置または前記受信装置の何れかで動作するかを決定し、
前記提供装置または前記受信装置の何れかで動作するかを決定した後に、他の通信装置と前記通信パラメータを共有するための通信が開始されない場合、前記所定の処理を再実行するとを有することを特徴とする通信装置の制御方法。
【請求項１９】
通信パラメータを他の通信装置に提供し、他の通信装置と該通信パラメータを共有するための提供装置と、他の通信装置から提供される通信パラメータを受信し、他の通信装置と該通信パラメータを共有するための受信装置とで動作可能な通信装置の制御方法であって、
第１の他の通信装置との通信により前記提供装置または前記受信装置の何れかで動作するかを決定するための所定の処理に基づいて、前記提供装置または前記受信装置の何れかで動作するかを決定し、
当該決定の後に前記第１の他の通信装置と前記通信パラメータを共有するための通信が開始されない場合、第２の他の通信装置との前記所定の処理により、前記提供装置または前記受信装置の何れかで動作するかを決定することを特徴とする通信装置の制御方法。
【請求項２０】
請求項１８または１９に記載の制御方法をコンピュータに実行させるためのプログラム。
【手続補正２】
【補正対象書類名】明細書
【補正対象項目名】０００９
【補正方法】変更
【補正の内容】
【０００９】
上記目的を達成するために、通信パラメータを他の通信装置に提供する提供装置として動作する手段と、
他の通信装置から提供される通信パラメータを受信する受信装置として動作する手段と、他の通信装置との通信により前記提供装置または前記受信装置の何れかで動作するかを決定するための所定の処理に基づいて、前記提供装置または前記受信装置の何れかで動作するかを決定する決定手段と、前記決定手段により前記提供装置または前記受信装置の何れかで動作するかを決定した後に、他の通信装置と前記通信パラメータを共有するための通信が開始されない場合、前記所定の処理を再実行する実行手段とを有することを特徴とする通信装置を提供する。
また、通信パラメータを他の通信装置に提供する提供装置として動作する手段と、他の装置から提供される通信パラメータを受信する受信装置として動作する手段と、
第１の他の通信装置との通信により前記提供装置または前記受信装置の何れかで動作するかを決定するための所定の処理に基づいて、前記提供装置または前記受信装置の何れかで動作するかを決定する第１の決定手段と、前記第１の決定手段による第１の他の通信装置との通信により前記提供装置または前記受信装置のどちらを実施するかを決定した後に、前記第１の他の通信装置と前記通信パラメータを共有するための通信が開始されない場合、第２の他の通信装置との前記所定の処理に基づいて、前記提供装置または前記受信装置の何れかで動作するかを決定する第２の決定手段と、を有する通信装置を提供する。